(57)【特許請求の範囲】
【請求項１】
着座者の膝内側に対応するシートクッション前端部に作用部が設けられ、該作用部により前記シートクッション前端部の位置を前後に調整することによってクッション長を変化させるクッション長可変機構と、前記シートクッション前端部から着座者の脚先方向に伸びるオットマン本体と、該オットマン本体の前記シートクッション前端部における屈曲角度を小さくすることによりオットマン迫上状態とするオットマン作動機構とを備え、前記オットマン本体は、前記クッション長可変機構の前記作用部と一体に設けられ、前記クッション長可変機構及びオットマン作動機構は互いに独立して作動可能とされ、オットマン迫上時の前記オットマン本体の長さが、クッション長が長くされる程長くされることを特徴とするクッション長可変シートのオットマン装置。
【請求項２】
請求項１のクッション長可変シートのオットマン装置において、前記クッション長可変機構は、下側ヒンジで前後方向に揺動する第１揺動アームを備え、その上端が前記作用部を成し、前記オットマン本体は前記作用部をヒンジ中心として揺動されることにより迫上自在とされ、前記オットマン本体が迫上げられていない収納状態では前記第１揺動アームと並行状態となる第２揺動アームを備えることを特徴とするクッション長可変シートのオットマン装置。
【請求項３】
請求項２のクッション長可変シートのオットマン装置において、前記第２揺動アーム上にスライド自在にスライド部材が設けられ、オットマン迫上状態における前記第２揺動アームの前記第１揺動アームに対する揺動角度に基づいて、前記スライド部材のスライド量を変化させ、前記揺動角度が大きい程、第２揺動アームのヒンジ中心から離れる側へのスライド量を大きくする連動機構を備えることを特徴とするクッション長可変シートのオットマン装置。
【発明の詳細な説明】
【技術分野】
【０００１】
本発明は、クッション長可変機構とオットマン装置とを共に備えたクッション長可変シートのオットマン装置に関する。
【背景技術】
【０００２】
下記特許文献１には、着座者の身長差を考慮して、股下の長い人でもオットマン迫上時にオットマン本体の先端部によって着座者のふくらはぎ下部が押されてしまうことがないように改良されたオットマン装置が開示されている。具体的には、オットマン本体は、シートクッションの前方に中継部材を介して接続され、オットマン本体の迫上げは、中継部材によってオットマン本体が前方に所定長さだけ伸ばされた状態で行われるようにされている。従って、股下の長い特定の人には快適なオットマン装置となる。
【先行技術文献】
【特許文献】
【０００３】
【特許文献１】特許第４３２４４４４号公報
【発明の概要】
【発明が解決しようとする課題】
【０００４】
しかし、股下の短い人に対しても、オットマン本体の迫上時は、同様に中継部材が前方に所定長さだけ伸ばされるため、膝下が強引に前方へ引張られることになり使用感が悪い。
本発明は、このような問題に鑑み、クッション長を任意に調整された位置で、オットマン本体の迫上げを行い、着座者の身長差に関わらず快適なオットマン装置を提供することを課題とする。
【課題を解決するための手段】
【０００５】
本発明の第１発明は、着座者の膝内側に対応するシートクッション前端部に作用部が設けられ、該作用部により前記シートクッション前端部の位置を前後に調整することによってクッション長を変化させるクッション長可変機構と、前記シートクッション前端部から着座者の脚先方向に伸びるオットマン本体と、該オットマン本体の前記シートクッション前端部における屈曲角度を小さくすることによりオットマン迫上状態とするオットマン作動機構とを備え、前記オットマン本体は、前記クッション長可変機構の前記作用部と一体に設けられ、前記クッション長可変機構及びオットマン作動機構は互いに独立して作動可能とされ、オットマン迫上時の前記オットマン本体の長さが、クッション長が長くされる程長くされることを特徴とするクッション長可変シートのオットマン装置である。
第１発明によれば、オットマン本体はクッション長可変機構の作用部と一体に設けられ、両機構は互いに独立して作動可能とされているため、クッション長が調整された任意の位置でオットマン本体の迫上げが行われ、着座者の身長差に応じてクッション長の調整ができ、且つ身長差に応じた位置でオットマン本体の迫上げを行うことができる。しかも、オットマン本体の長さが、着座者の身長差に応じて調整され、膝下の快適な位置でオットマン本体の迫上げが行われる。即ち、クッション長が長いときと短いときのオットマン迫上時のシートクッション表面に対する角度が同じである場合において、クッション長が長い方がオットマン本体の長さが長くされる。
【０００７】
本発明の第２発明は、第１発明のクッション長可変シートのオットマン装置において、前記クッション長可変機構は、下側ヒンジで前後方向に揺動する第１揺動アームを備え、その上端が前記作用部を成し、前記オットマン本体は前記作用部をヒンジ中心として揺動されることにより迫上自在とされ、前記オットマン本体が迫上げられていない収納状態では前記第１揺動アームと並行状態となる第２揺動アームを備えることを特徴とするクッション長可変シートのオットマン装置である。
第２発明によれば、着座者の身長差に応じたクッション長の調整と、身長差に応じた位置でのオットマン本体の迫上げを簡素な構成で実現できる。
【０００８】
本発明の第３発明は、第２発明のクッション長可変シートのオットマン装置において、前記第２揺動アーム上にスライド自在にスライド部材が設けられ、オットマン迫上状態における前記第２揺動アームの前記第１揺動アームに対する揺動角度に基づいて、前記スライド部材のスライド量を変化させ、前記揺動角度が大きい程、第２揺動アームのヒンジ中心から離れる側へのスライド量を大きくする連動機構を備えることを特徴とするクッション長可変シートのオットマン装置である。
第３発明によれば、クッション長を長くするため、第１揺動アームが前方へ揺動され、その結果、オットマン迫上時の第２揺動アームの第１揺動アームに対する揺動角度が大きくなると、連動機構によるスライド部材の前方（第２揺動アームのヒンジ中心から離れる側）へのスライド量が大きくされる。従って、スライド部材と連動機構を設けるのみの簡素な構成で、オットマン本体の着座者の膝下の支持長さをクッション長が長い程長くでき、着座者の身長差に応じて膝下の快適な位置でオットマン本体の迫上げを行うことができる。
【図面の簡単な説明】
【０００９】
【図１】本発明の一実施形態の概要を説明するためのオットマン装置の側面図である。
【図２】上記実施形態の作動機構を説明するための側面図であり、オットマン本体が迫上げられた状態を示している。
【図３】上記実施形態のスライド機構を説明するための部分断面分解斜視図である。
【発明を実施するための形態】
【００１０】
図１は、本発明の一実施形態における着座者の身長差への対応の仕方を説明している。着座者が高身長者Ｈ１、中身長者Ｈ２、低身長者Ｈ３と変わると、着座時のそれぞれの膝関節の位置は、Ｋ１、Ｋ２、Ｋ３とそれぞれ異なった位置となる。そのため、快適な着座感を得るためにシートクッションのクッション長を膝関節位置に合わせて変化させている。図１において、ＨＰは着座者のヒップポイントを示す。
【００１１】
図１において、Ｃ１は高身長者Ｈ１に合わせてクッション長を最も長くする位置としたときのオットマン本体の揺動中心位置であり、Ｃ３は低身長者Ｈ３に合わせてクッション長を最も短くする位置としたときのオットマン本体の揺動中心位置である。オットマン本体は、それぞれの揺動中心Ｃ１、Ｃ３を中心に揺動されるため、オットマン本体の先端の移動軌跡はそれぞれＡ１、Ａ３となる。一方、オットマン本体の動作に伴う高身長者Ｈ１及び低身長者Ｈ３の足首の移動軌跡はＢ１，Ｂ３となる。
上述のとおり、オットマン本体の先端の移動軌跡Ａ１、Ａ３は、オットマン本体の揺動中心Ｃ１、Ｃ３を中心とした円弧であるのに対し、足首の移動軌跡Ｂ１，Ｂ３は、それぞれの着座者の膝関節位置Ｋ１、Ｋ３を中心とする円弧であり、前者の円弧の中心Ｃ１、Ｃ３と後者の円弧の中心Ｋ１、Ｋ３が互いに離れているため、オットマン本体がシートクッション表面に対して同角度まで迫上げられた位置における両軌跡Ａ１とＢ１の差Ｌ１、Ａ３とＢ３の差Ｌ３はＬ１＞Ｌ３となる。即ち、オットマン本体によって支えられる着座者の膝下の長さを低身長者Ｈ３に合わせて設定すると、高身長者Ｈ１には、その長さが短か過ぎてしまう。
そこで、この実施形態では、クッション長に応じてオットマン本体の長さを調整するようにしており、低身長者Ｈ３が体の大きさに合わせてクッション長を短めに設定すると、オットマン本体の長さもＬ３に対応させて短くされ、逆に高身長者Ｈ１が体の大きさに合わせてクッション長を長めに設定すると、オットマン本体の長さもＬ１に対応させて長くされるようにしている。即ち、低身長者の体格に合わせるためには、クッション長は短く、かつオットマン本体の長さは短くし、オットマン本体の先端から揺動中心Ｃ３までの距離を短くする必要がある。また、高身長者には、クッション長は長く、かつオットマン本体の長さは長くし、オットマン本体の先端から揺動中心Ｃ１までの距離を長くする必要がある。本実施形態では、この要求が満たされている。
【００１２】
以下、図２及び図３により上記一実施形態の具体的な構成及び作用を説明する。
この実施形態の場合、図３に良く示されるように、シートクッションの表層部５０は、クッションパッド５３、ラミパッド５２及び本革製の表皮材５１から成り、シートクッションの上面の他、オットマン本体の表面にも被せられている。このため、オットマン本体の動作に応じて表層部５０は曲げ伸ばしされ、オットマン本体が迫上げられていない収納状態のときは、表層部５０は着座者の膝関節の内側部分で曲げられ、その表層部５０の曲げ部の内側にクッション長可変機構を成す第１揺動アーム１１がシートクッションの左右両側に設けられている。
【００１３】
第１揺動アーム１１の上端は本発明の作用部を成し、下端部がヒンジ軸４２によってシートクッションフレームに固定されたブラケット４１に揺動自在に固定されている。第１揺動アーム１１の前上端部には、オットマン本体を成す第２揺動アーム２１がヒンジ軸２１ａを中心に揺動自在とされている。
第２揺動アーム２１には、フレーム２２及びスライド部材３１が固定され、スライド部材３１はフレーム２２に対してスライド自在とされている。そのため、スライド部材３１の側部にはスリット３１ｂが形成され、そのスリット３１ｂにフレーム２２の側部に設けられた突起２２ａが係合されている。
また、フレーム２２及びスライド部材３１はスライドガイド６１にスライド自在に保持され、スライドガイド６１の上面は、表層部５０のクッションパッド５３とその下面に設けられた弾性シート５４との間に挟持されて、移動しないように固定されている。
スライドガイド６１の両側は表層部５０によって包まれるように覆われ、表層部５０の端部５０ａがスライドガイド６１の両側下面に形成されている溝６１ａ内に嵌め込まれて固定されている。
弾性シート５４は、クッションパッド５３の先端側下面全体に表層部５０と一体に設けられており、その下面側に位置するオットマン本体と表層部５０との相対移動を容易とするように摩擦係数が小さな素材から形成されている。また、弾性シート５４はオットマンの作動を妨げないように弾力性も備えている。
【００１４】
スライド部材３１は左右のフレーム２２にスライド自在とされた左右の部材３１ｃとその左右部材３１ｃの前端同士を連結する前部材３１ｄとから成り、各部材３１ｃ，３１ｄの上面には柔軟性を備えたネット３２が張られている。スライド部材３１の左右部材３１ｃの先端は下方に曲げられて、スライド部材３１の上面先端が曲面にて形成され、着座者の脚部を支持したとき、スライド部材３１先端部による着座者脚部に対する面圧が強くなり過ぎないようにすると共に、見栄えも良くしている。
スライドガイド６１の上面部は、スライド部材３１上のネット３２の幅に合わせた幅で前側半分程度が切り欠かれている。これは着座者の脚部を支持した際に、表層部５０の下に剛体として存在するスライドガイド６１の大きさを小さくして、脚部への当たりを軟らかくするためである。
以上のように表層部５０はスライドガイド６１によってオットマン本体であるフレーム２２、スライド部材３１に固定されているため、オットマンの作動に応じて表層部５０が追随することになる。
【００１５】
次にクッション長可変機構及びオットマン本体の作動機構について説明する。
左右のブラケット４１の内側には第１揺動アーム１１が有り、その更に内側には図示を省略したが各作動機構のモータを支持するためのフレーム（図示省略）がブラケット４１と一部で結合されて設けられている。一方のモータは、第１揺動アーム１１を前後に揺動させるように、その出力軸が第１揺動アーム１１の上部に結合されている。ここで、第１揺動アーム１１及び一方のモータによって、本発明のクッション長可変機構が構成されている。
【００１６】
また、他方のモータは第２揺動アーム２１を揺動させるように、他方のモータの出力軸は、リンク２４の一端にあるヒンジ軸２４ａに結合され、ヒンジ軸２４ａは着座者の左側に位置する第１揺動アーム１１上に回動自在に支持されている。リンク２４の他端はリンク２３の一端に回動自在に結合され、リンク２３の他端は第２揺動アーム２１のヒンジ軸２１ａから離間した位置に回動自在に結合されている。そのため、他方のモータによってリンク２４を回動することにより、リンク２３を介してヒンジ軸２１ａを中心に第２揺動アーム２１を揺動させ、オットマン本体を迫上位置と収納位置に移動させることができる。ここで、リンク２３、２４及び他方のモータによって、本発明のオットマン作動機構が構成されている。
【００１７】
一方、オットマン本体のフレーム２２及び第１揺動アーム１１にもリンク２５及び２６が回動自在に結合されており、両リンク２５、２６同士は互いに回動自在に結合されている。また、リンク２５の他端は略Ｙ字状に先割形状とされており、その溝２５ａ内にスライド部材３１の基端部に設けられたピン３１ａが挿入配置されてピン３１ａは溝２５ａ内に常時係合されている。リンク２５はヒンジピン２５ｂによってフレーム２２に対して回動自在に係合されている。従って、第２揺動アーム２１の揺動に応じてスライド部材３１がフレーム２２に対してスライドされるようになっている。即ち、オットマンが収納位置にあるときは、リンク２５、２６は図２の実線のように互いに並んだ位置にあって、リンク２５の先端の溝２５ａはピン３１ａを第２揺動アーム２１の揺動中心側に寄せてスライド部材３１を収納位置としている。また、オットマンが迫上位置にあるときは、リンク２５、２６は図２の仮想線のように互いに略直線的に連なった位置にあって、リンク２５の先端の溝２５ａはピン３１ａを第２揺動アーム２１の揺動中心側から離してスライド部材３１を展開位置としている。ここで、リンク２５、２６及びピン３１ａによって、本発明の連動機構が構成されている。
【００１８】
以下、作用を説明する。
着座者の体の身長差に合わせて一方のモータを作動させることにより第１揺動アーム１１をヒンジ軸４２を中心に揺動させ、その上端の作用部が表層部５０の曲げ部内で前後に動き、それによりクッション長が変更される。このとき、オットマン本体の第２揺動アーム２１、フレーム２２なども第１揺動アーム１１と共に移動する。
このようにクッション長が調整された状態でオットマンを作動させるべく、他方のモータを作動させると、リンク２３、２４を介して第２揺動アーム２１が第１揺動アーム１１の作用部のヒンジ軸２１ａを中心に揺動され、オットマンが迫上げられる。このとき、スライドガイド６１も第２揺動アーム２１に追随して移動するため、表層部５０の先端部も第２揺動アーム２１と共に迫上げられる。
【００１９】
また、第２揺動アーム２１と共にフレーム２２も揺動され、それに伴いリンク２５、２６が図２の実線の位置から仮想線の位置とされ、リンク２５の移動の間、リンク２５の先端の溝２５ａにピン３１ａは係合状態にあり、ピン３１ａがオットマンの揺動中心から離れる側に移動され、スライド部材３１が前方に展開される。
オットマンの迫上角度は、第１揺動アーム１１の揺動角度、即ちクッション長の長さに応じて変化し、クッション長が長く、第１揺動アーム１１の揺動角度が前側に大きくされる程、オットマンの迫上角度も大きくなるため、２つのリンク２５、２６の連結角度もより直線に近い角度となり、リンク２５の先端によるスライド部材３１の押出量も多くなる。つまり、クッション長が長い程、オットマン迫上時のスライド部材３１の前方への展開長が長くなり、着座者の体の大きさ（膝下の長さ）に応じた脚部の支持がされる。
【００２０】
以上のように、オットマン本体はクッション長可変機構の作用部と一体に設けられ、クッション長可変機構及びオットマン作動機構は互いに独立して作動可能とされているため、クッション長が調整された任意の位置でオットマン本体の迫上げが行われ、着座者の身長差に応じてクッション長の調整ができ、且つ身長差に応じた位置でオットマン本体の迫上げを行うことができる。また、オットマン本体の迫上長さが、着座者の身長差に応じて調整され、膝下の快適な位置でオットマン本体の迫上げを行うことができる。
【００２１】
上記実施形態では、上記実施形態では、シートクッションの表層部によってオットマン本体も連続的に覆われた例について説明したが、オットマン本体はシートクッションの表層部とは別体とされていても良い。
その他、本発明は、その発明思想の範囲内で各種形態で実施可能である。
【符号の説明】
【００２２】
１１    第１揺動アーム
２１    第２揺動アーム
２２    フレーム
３１    スライド部材
３２    ネット
４１    ブラケット
５０    表層部
５４    弾性シート
６１    スライドガイド
【図１】
0005573382.tif 000002
【図２】
0005573382.tif 000003
【図３】
0005573382.tif 000004